(57)【要約】【課題】エラー発生要因が復帰不可能エラーなのか復帰可能エラーなのかを明確に区別し、復帰不可能エラーが発生した場合に、ユーザーが取得可能な形態でエラー発生要因を確実に保持しておくことができる情報処理装置及び情報処理装置の制御方法を提供する。【解決手段】ユーザーから電源ＯＮの指示が有ると（ステップＳ２１：Ｙｅｓ）初期化処理が開始するが、初期化処理中にフェイタルエラーが発生すると（ステップＳ２２）、状態記憶部に記憶されているフェイタルエラー要因を取得する（ステップＳ２３）。次に、現在、発生しているフェイタルエラー要因が、状態記憶部に記憶されているフェイタルエラー要因と一致するか否かを判断する（ステップＳ２４）。そして、現在、発生しているフェイタルエラー要因が、状態記憶部に記憶されているフェイタルエラー要因と一致する場合は、インクカートリッジ記憶部にそのフェイタルエラー要因を保存する（ステップＳ２５）。【選択図】図４
2008246941.tif 000002
【特許請求の範囲】
【請求項１】
各構成部位を動作させ、インクカートリッジから供給されたインクを印刷媒体に対して吐出させて印刷処理を実行するインクジェットプリンタであって、
前記各構成部位が正常に動作しているか否かを検出する状態管理部と、
前記状態管理部が異常状態を検出すると、前記異常状態の発生要因を記憶する状態記憶部と、
電源ＯＮ指示に応じて前記異常状態から復帰するため復帰処理を実行する復帰処理実行部と、
前記状態管理部が復帰処理中に異常状態を検出すると、前記状態記憶部が記憶している発生要因と復帰処理中に発生した異常状態の発生要因とが一致するか否かを判断する発生要因判断部と、
前記発生要因判断部が一致すると判断した場合に、前記インクカートリッジに備えられたインクカートリッジ記憶部に前記発生要因を書き込む発生要因書込部と、を有することを特徴するインクジェットプリンタ。
【請求項２】
前記状態管理部が復帰処理中に前記異常状態を検出しなかった場合は、前記状態記憶部に記憶された発生要因を初期化することを特徴とする請求項１に記載のインクジェットプリンタ。
【請求項３】
各構成部位を動作させ、インクカートリッジから供給されたインクを印刷媒体に対して吐出させて印刷処理を実行するインクジェットプリンタの制御方法であって、
前記各構成部位が正常に動作しているか否かを検出する検出ステップと、
前記状態管理部が異常状態を検出すると、前記異常状態の発生要因を状態記憶部に記憶する記憶ステップと、
電源ＯＮ指示に応じて前記異常状態から復帰するため復帰処理を実行する復帰処理実行ステップと、
復帰処理中に異常状態を検出すると、前記状態記憶部が記憶している発生要因と復帰処理中に発生した異常状態の発生要因とが一致するか否かを判断する判断ステップと、
前記発生要因判断部が一致すると判断した場合に、前記インクカートリッジに備えられたインクカートリッジ記憶部に前記発生要因を書き込む書き込みステップと、を有することを特徴とするインクジェットプリンタの制御方法。
【請求項４】
復帰処理中に前記異常状態を検出しなかった場合は、前記状態記憶部に記憶された発生要因を初期化することを特徴とする請求項３に記載のインクジェットプリンタの制御方法。
【発明の詳細な説明】
【技術分野】
【０００１】
本発明は、各構成部位を動作させ、インクカートリッジから供給されたインクを印刷媒体に対して吐出させて印刷処理を実行するインクジェットプリンタ及びインクジェットプリンタの制御方法に関する。
【背景技術】
【０００２】
ホストコンピュータから送信されるコマンドや印刷データなどの指令データにしたがって、文字や図形を紙などの印刷媒体に印刷する印刷装置が提案されている。このような印刷装置は、ホストコンピュータから印刷指令を受信すると、当該印刷指令により指定された文字や図形を紙などの印刷媒体に印刷する。
【０００３】
印刷装置の動作中に用紙切れや各種のエラー等異常が発生した場合には、印字処理を停止し、印刷装置の筐体に備えられたパネル面のＬＥＤなどを点灯あるいは点滅させることにより、異常の有無やその内容をユーザーに通知する。例えば、エラーの種類に応じてＬＥＤの点滅周期を選択し、選択された点滅周期で点滅表示することにより、一つのエラー表示部で種々のエラー表示を行うよう設定された印刷装置が知られている。
【０００４】
特許文献１には、プリンタ内で発生する異常状態を検出部が監視し、検出部が異常状態を検出すると、ブザーを鳴動させ音響的にユーザーへ異常状態を通知するプリンタが記載されている。異常状態の種類によってブザーの発生時間や鳴動回数を設定することができるので、ユーザーはブザーの音の種類を聞き分けることによって異常状態の内容を把握することができる。このように、プリンタ内の異常状態をユーザーに知らせる手段を備えた構成のプリンタは一般的によく知られている。
【０００５】
また、プリンタのエラーの発生履歴を記憶部に格納し、プリンタの電源をＯＮしたときにエラーの履歴を参照し、エラーの発生状態に応じた適切な駆動動作を行うことができるプリンタが提案されている（特許文献２参照）。また、プリンタのエラーログをインクカートリッジに備えられたカートリッジメモリに格納する技術が知られている（特許文献３参照）。
【０００６】
【特許文献１】特開２００１−１６６９０４号公報
【特許文献２】特開２００２−０７９６６０号公報
【特許文献３】特開２００４−３２２５５５号公報
【発明の開示】
【発明が解決しようとする課題】
【０００７】
ところで、上記プリンタの異常状態の発生要因には様々な種類のものがある。プリンタを初期化してもエラー状態から復帰できない復帰不可能エラー、初期化処理を行えばエラー状態から復帰することができる復帰可能エラー、初期化処理を行わずとも復帰できるエラー等に分けることができる。具体例を挙げると、復帰不可能エラーには、電源エラー、ＣＰＵ実行エラー、メモリエラー等のプリンタ自体や電源などのハードウェアに原因があるエラーがあり、復帰可能エラーには、用紙の紙詰まりエラーやヘッドの温度異常エラー等がある。また、初期化処理を必要としないエラーには、プリンタカバーオープンや紙なしエラー等がある。
【０００８】
特許文献１では、発生したエラーが初期化処理を必要としないエラーなのか、復帰可能エラーなのか、それとも復帰不可能エラーなのか、をブザーの鳴動パターンによって識別することはできるが、復帰可能エラーあるいは復帰不可能エラーの詳細情報までは識別することはできない。
【０００９】
通常、復帰可能エラーが発生した場合には、ブザーなどの異常状態通知によってユーザーが電源をＯＦＦし再度電源をＯＮすることによって初期化処理を行い復帰することができる。しかしながら、例えば、復帰不可能エラーとしてインターフェースエラーが発生した場合には、ホストコンピュータとプリンタとの間で通信不能状態になるため、ホストコンピュータへエラーの詳細情報を通知することもできず、電源を再投入して初期化処理を実行しても復帰することができない。ユーザーも、何が発生したのか全く認識する術がなくなってしまう。
【００１０】
このような状態では、復帰不可能エラーの発生原因がどの部位にあるのかを知ることができず修理、回復作業に無駄な時間がかかってしまう。
【００１１】
本発明は、上記課題を解決するためになされたものであって、エラー発生要因が復帰不可能エラーなのか復帰可能エラーなのかを明確に区別し、復帰不可能エラーが発生した場合に、ユーザーが取得可能な形態でエラー発生要因を確実に保持しておくことができる情報処理装置及び情報処理装置の制御方法を提供することを目的としている。
【課題を解決するための手段】
【００１２】
上記課題を解決することのできる本発明は、各構成部位を動作させ、インクカートリッジから供給されたインクを印刷媒体に対して吐出させて印刷処理を実行するインクジェットプリンタであって、
前記各構成部位が正常に動作しているか否かを検出する状態管理部と、前記状態管理部が異常状態を検出すると、前記異常状態の発生要因を記憶する状態記憶部と、電源ＯＮ指示に応じて前記異常状態から復帰するため復帰処理を実行する復帰処理実行部と、前記状態管理部が復帰処理中に異常状態を検出すると、前記状態記憶部が記憶している発生要因と復帰処理中に発生した異常状態の発生要因とが一致するか否かを判断する発生要因判断部と、前記発生要因判断部が一致すると判断した場合に、前記インクカートリッジに備えられたインクカートリッジ記憶部に前記発生要因を書き込む発生要因書込部と、を有することを特徴とする。
【００１３】
また、上記課題を解決することのできる本発明は、各構成部位を動作させ、インクカートリッジから供給されたインクを印刷媒体に対して吐出させて印刷処理を実行するインクジェットプリンタの制御方法であって、
前記各構成部位が正常に動作しているか否かを検出する検出ステップと、前記状態管理部が異常状態を検出すると、前記異常状態の発生要因を状態記憶部に記憶する記憶ステップと、電源ＯＮ指示に応じて前記異常状態から復帰するため復帰処理を実行する復帰処理実行ステップと、復帰処理中に異常状態を検出すると、前記状態記憶部が記憶している発生要因と復帰処理中に発生した異常状態の発生要因とが一致するか否かを判断する判断ステップと、前記発生要因判断部が一致すると判断した場合に、前記インクカートリッジに備えられたインクカートリッジ記憶部に前記発生要因を書き込む書き込みステップと、を有することを特徴とする。
【００１４】
上記構成によれば、状態記憶部が記憶している発生要因と、復帰処理中に発生した異常状態の発生要因とが一致する場合に、インクカートリッジ記憶部に発生要因を書き込むよう構成されている。
例えば、通常動作時において発生した異常状態が復帰可能エラーであれば復帰処理を実行すると異常状態から復帰することができる。しかしながら、通常動作時において異常状態が発生しさらに復帰処理を実行してもまた異常状態が発生する場合は、復帰不可能エラーが発生したと捉えることができる。このため、発生要因が復帰不可能エラーなのか復帰可能エラーなのかを明確に区別することができる。
そして、状態記憶部が記憶している発生要因と、復帰処理中に発生した異常状態の発生要因とが一致していれば、このときの発生要因は復帰不可能エラーの発生要因である。これをインクカートリッジ記憶部に書き込むことによって、ユーザーが取得可能な形態で復帰不可能エラーの発生要因を確実に保持しておくことができる。
【００１５】
また、本発明のインクジェットプリンタにおいて、前記状態管理部が復帰処理中に前記異常状態を検出しなかった場合は、前記状態記憶部に記憶された発生要因を初期化することを特徴とする。
【００１６】
また、本発明のインクジェットプリンタの制御方法において、復帰処理中に前記異常状態を検出しなかった場合は、前記状態記憶部に記憶された発生要因を初期化することを特徴とする。
【００１７】
上記構成によれば、復帰処理中に異常状態を検出しなかった場合には、一度記憶した発生要因を初期化するので、復帰後におけるインクジェットプリンタの動作状態を正確に監視することができる。
【発明を実施するための最良の形態】
【００１８】
図１は、本発明の実施形態にかかる情報処理装置の一例としてのインクジェットプリンタ１００の概略構成図を示す。本実施形態のインクジェットプリンタ１００は、インクジェットプリンタ１００の各種制御プログラムを実行するための演算処理やその他必要な演算処理を行うＣＰＵ１１と、インクジェットプリンタ１００を制御するために必要な制御プログラム（ファームウェア）および処理に必要なデータを格納するフラッシュＲＯＭ１２と、ＣＰＵ１１の作業領域や他のデータの１次格納領域として用いられるＲＡＭ１３と、所定の周期およびユーザーの指定によりヘッドクリーニングを行うクリーニング機構１４と、印刷ヘッド１７や図示せぬキャリッジ等の印刷機構部の動作を制御し、印刷のレイアウトおよび品質等を制御する印刷制御部１５と、印刷する用紙を印刷機構部へ供給する用紙搬送機構１６と、用紙にインクを噴射して印刷する印刷ヘッド１７と、インクを格納し印刷ヘッド１７へインクを供給するインクカートリッジ１９と、インクカートリッジ１９を着脱可能に装着するカートリッジ装着部１８とを備える。
【００１９】
図２は、本実施形態のインクジェットプリンタ１００の制御部のうち主要な機能構成要素を示したブロック図である。本実施形態のインクジェットプリンタ１００の制御部は、インクジェットプリンタ１００が電源ＯＦＦされ、再び電源ＯＮされたときにまず実行されるインクジェットプリンタの初期化処理を実行する初期化処理実行部２１（復帰処理実行部）と、各構成部位が正常に動作しているか否かを検出する状態管理部２３と、インクジェットプリンタ１００の通常動作時に状態管理部２３がエラー状態を検出すると、そのエラー状態の発生要因を記憶する状態記憶部２２と、インクジェットプリンタ１００の入出力を管理する入出力管理部２４と、を備える。
【００２０】
さらに、状態管理部２３が初期化処理（復帰処理）の実行中にエラー状態を検出すると、初期化処理中に発生したエラーの発生要因と、状態記憶部２２が記憶している発生要因とが一致するか否かを判断するエラー発生要因判断部２５と、状態記憶部２２が記憶している発生要因と初期化処理中に発生したエラーの発生要因とが一致する場合に、インクジェットプリンタ１００と分離可能な記憶媒体であるインクカートリッジに備えられたインクカートリッジ記憶部２７にエラーの発生要因を書き込むエラー発生要因書込部２６と、を備える。なお、エラー発生要因書込部２６は、状態記憶部２２が記憶している発生要因と初期化処理中に発生したエラーの発生要因とが一致しない場合には、初期化処理中に発生したエラーの発生要因を状態記憶部２２に書き込むよう設定されている。
【００２１】
一方、状態管理部２３が初期化処理の実行中にエラー状態を検出しなかった場合は、状態記憶部２２は既に記憶されている通常動作時に発生したエラーの発生要因を初期化する。
【００２２】
図３は、本発明の実施形態にかかるインクジェットプリンタ１００の通常動作時においてフェイタルエラー（ここでは、復帰可能エラーおよび復帰不可能エラーを含む）が発生した場合のフローチャートを示す。インクジェットプリンタ１００が通常動作をしている場合に（ステップＳ１１）フェイタルエラーが発生すると（ステップＳ１２）、状態管理部２３は、フェイタルエラー要因（発生要因）を状態記憶部２２に書き込む（ステップＳ１３）。
【００２３】
そして、状態管理部２３は、ＬＥＤを点灯させるなどフェイタルエラー処理を実行する（ステップＳ１４）。次に、ユーザーから電源ＯＦＦの指示があるかどうかを判断し（ステップＳ１５）、ユーザーから電源ＯＦＦの指示があった場合（ステップＳ１５：Ｙｅｓ）に電源ＯＦＦの動作を行い（ステップＳ１６）、ユーザーから電源ＯＦＦの指示がない場合（ステップＳ１５：Ｎｏ）は、ユーザーから電源ＯＦＦの指示を継続して監視する。
【００２４】
図４は、本発明の実施形態にかかるインクジェットプリンタ１００において、初期化処理を実行するために再度電源ＯＮした時にフェイタルエラーが発生した場合のフローチャートを示す。インクジェットプリンタ１００は、ユーザーから電源ＯＮの指示が有るかを監視している（ステップＳ２１：Ｎｏ）。
【００２５】
ユーザーから電源ＯＮの指示が有ると（ステップＳ２１：Ｙｅｓ）初期化処理を開始するが、初期化処理中にフェイタルエラーが発生すると（ステップＳ２２）、図３のステップＳ１３に示したように通常動作時に状態記憶部２２に記憶したフェイタルエラー要因を取得する（ステップＳ２３）。次に、現在、発生しているフェイタルエラーの発生要因が、状態記憶部２２から取得したフェイタルエラー要因と一致するか否かを判断する（ステップＳ２４）。
【００２６】
そして、現在、発生しているフェイタルエラーの発生要因が状態記憶部２２から取得したフェイタルエラー要因と一致する場合（ステップＳ２４：Ｙｅｓ）は、インクカートリッジ記憶部２７にそのフェイタルエラー要因を保存する（ステップＳ２５）。一方、現在、発生しているフェイタルエラーの発生要因が状態記憶部２２から取得したフェイタルエラー要因と一致しない場合（ステップＳ２４：Ｎｏ）は、現在、発生しているフェイタルエラーの発生要因を状態記憶部２２に保存する（ステップＳ２６）。
【００２７】
なお、ステップＳ２６において、初期化処理の実行中に発生したフェイタルエラーの発生要因をインクカートリッジ記憶部２７に書き込むよう設定してもよい。すなわち、現在、初期化処理の実行中に発生したフェイタルエラーの発生要因と状態記憶部２２から取得したフェイタルエラー要因とが一致しない場合とは、例えば、通常動作時に発生したフェイタルエラーが復帰可能エラーであって、初期化処理を実行したときには復帰不可能エラーが発生してしまった場合が考えられる。このような場合には、初期化処理の実行中に発生したフェイタルエラー要因がインクジェット記憶部２７に書き込まれることによって、復帰不可能エラーの発生要因を確実に保持しておくことができる。
【００２８】
次に、ＬＥＤを点灯させる等のフェイタルエラー処理を実行し（ステップＳ２７）、ユーザーから電源ＯＦＦの指示があるかどうかを判断し（ステップＳ２８）、ユーザーから電源ＯＦＦの指示があった場合（ステップＳ２８：Ｙｅｓ）に電源ＯＦＦの動作を行い（ステップＳ２９）、ユーザーから電源ＯＦＦの指示がない場合（ステップＳ２８：Ｎｏ）は、ユーザーから電源ＯＦＦの指示を継続して監視する。
【００２９】
次に、本発明の実施形態にかかるインクジェットプリンタ１００において、初期化処理を実行するために再度電源ＯＮした時にフェイタルエラーが発生しなかった場合の処理について説明する。図５は、本発明の実施形態にかかるインクジェットプリンタ１００において、電源ＯＮ時にフェイタルエラーが発生しなかった場合のフローチャートである。インクジェットプリンタ１００は、ユーザーから電源ＯＮの指示が有るかを監視している（ステップＳ３１：Ｎｏ）。
【００３０】
ユーザーから電源ＯＮの指示が有ると（ステップＳ３１：Ｙｅｓ）初期化処理を行い（ステップＳ３２）、フェイタルエラー要因をメモリから取得する（ステップＳ３３）。そして、フェイタルエラー要因があるか、すなわち状態記憶部２２に保存されているかどうかを判断し（ステップＳ３４）、フェイタルエラー要因が状態記憶部２２に保存されている場合（ステップＳ３４：Ｙｅｓ）は、状態記憶部２２に保存されているフェイタルエラー要因を初期化してから通常動作を実行する（ステップＳ３５，ステップＳ３６）。一方、フェイタルエラー要因が状態記憶部２２に保存されていなければ（ステップＳ３４：Ｎｏ）は、そのまま通常動作を行う（ステップＳ３６）。
【００３１】
このように本実施形態にかかるインクジェットプリンタ１００によれば、電源ＯＮ時にフェイタルエラーが発生しない場合、すなわち通常動作時において発生したフェイタルエラーが復帰可能エラーであった場合には、状態記憶部２２に保存されているフェイタルエラー要因を初期化するので、復帰後におけるインクジェットプリンタ１００の動作状態を正確に監視することができる。
【００３２】
図６（ａ）は、図４のステップＳ２５においてインクカートリッジ記憶部２７に書き込まれたフェイタルエラー要因を、インクカートリッジ読み取り機器から取得する場合の説明図である。インクジェットプリンタ１００からインクカートリッジ１９を取り出し、インクカートリッジ読み取り機器２００に装着することによって、インクジェットプリンタ１００の不具合箇所を簡単に判断することができる。
【００３３】
図６（ｂ）は、黒インクカートリッジ１９ａ、及びカラーインクカートリッジ１９ｂの一実施例を示すものであって、黒インクカートリッジ１９ａは、インクジェットプリンタ１００のキャリッジに装着された際、キャリッジに対向する面３５に印刷ヘッド１７（図１参照）のインク誘導路に接続可能なインク供給口３６が設けられ、また電気的に書き換え可能なメモリ装置である半導体記憶手段３７が設けられている。
【００３４】
カラーインクカートリッジ１９ｂは、複数のカラーインクを独立に収容する複数の部屋に分割され、その底面３８には、各インク室に連通し、印刷ヘッド１７のインク誘導路に接続可能なインク供給口３９、４０、４１が設けられ、また電気的に書き換え可能なメモリ装置である半導体記憶手段４２が設けられている。
【００３５】
半導体記憶手段３７、４２は、図２に示したインクカートリッジ記憶部２７に相当するものであり、電気的に書き換え可能なＥＥＰＲＯＭを内蔵したＣＳＩＣ（Customer Specific Integrated Circuit）として構成される。これら半導体記憶手段３７、４２には、例えば、インクの消費量に関する情報、インクの製造年月日などの日付コード、インクの材料、取り外し回数など、適切な印字を可能にするために必要なインクに関する情報が記憶されるとともに、インクジェットプリンタ１００の復帰不可能なフェイタルエラー要因に関する情報が記憶される。
【００３６】
これら形式の異なるインクカートリッジ１９ａ、１９ｂに設けられた半導体記憶手段３７、４２は、好ましくは同一仕様品が使用される。そして、それぞれが搭載されるインクカートリッジ１９ａ、１９ｂの裏面には接点４３、４４が設けられていて、インクジェットプリンタ１００のキャリッジに取付けられたカートリッジ装着部１８（図１参照）の接点を介して、カートリッジ装着部１８に設けられた読出し・書込み制御手段に導電手段により接続される。
【００３７】
同様に、インクカートリッジ１９ａ、１９ｂがインクカートリッジ読み取り機器２００に装着されると、接点４３、４４は、カートリッジ装着部の接点を介して、インクカートリッジ読み取り機器２００の読出し・書込み制御手段に導電手段により接続される。各読出し・書込み制御手段は、フレキシブルケーブルによりインクカートリッジ読み取り機器２００の制御装置に接続されている。
【００３８】
図７は、インクカートリッジ１９に記録されるフェイタルエラー定義を示すものであり、図７（ａ）は、復帰不可能なフェイタルエラーの例であり、図７（ｂ）は、復帰可能なフェイタルエラーの例である。本実施形態によれば、復帰不可能なフェイタルエラーは、コードにより明確に区別されてインクカートリッジ１９に記録される。したがって、インクカートリッジ１９をインクカートリッジ読み取り機器２００に装着することによって、復帰不可能なフェイタルエラー要因を取得することができる。
【００３９】
したがって、インクジェットプリンタ１００が正常動作しないためにエラー発生要因を読み出すことができない場合でも、例えば、インクカートリッジ１９をインクカートリッジ読み取り機器に接続し、インクカートリッジ読み取り機器からエラー発生要因を読み取ることにより、復帰不可能エラーが発生したインクジェットプリンタ１００の不具合箇所を判断することができる。
【００４０】
なお、インクカートリッジ読み取り機器２００でなくても、正常に動作する他のインクジェットプリンタにインクカートリッジを装着しなおすことによって、復帰不可能なフェイタルエラー要因を取得することもできる。
【００４１】
このように、本実施形態にかかるインクジェットプリンタ１００によれば、通常動作時に発生したエラー状態の発生要因と初期化処理の実行中に発生したエラー状態の発生要因とが一致する場合に、インクジェットプリンタ１００と分離可能なインクカートリッジ１９のインクカートリッジ記憶部２７にエラー発生要因を書き込むので、ユーザーが取得可能な形態でエラー発生要因を確実に保持しておくことができる。
【００４２】
また、通常動作時に発生したエラー状態の発生要因と初期化処理の実行中に発生したエラー状態の発生要因とが一致しない場合には、インクジェットプリンタ１００と分離可能なインクカートリッジ１９に発生要因を書き込むこともできる。このため、例えば、通常動作時に発生したエラー状態が復帰可能エラーであって、初期化処理を実行したときには復帰不可能エラーが発生した場合でも、分離可能なインクカートリッジ１９のインクカートリッジ記憶部２７に初期化処理中に発生したエラー状態の発生要因が書き込まれる。つまり復帰不可能エラーの発生要因が書き込まれるので、復帰不可能エラーの発生要因を確実に保持しておくことができる。
【図面の簡単な説明】
【００４３】
【図１】本発明の情報処理装置の一例としてのインクジェットプリンタの概略構成図である。
【図２】本実施形態のインクジェットプリンタの概略構成図である。
【図３】本実施形態のインクジェットプリンタにおいてフェイタルエラー（fatal error）が発生した場合のフローチャートである。
【図４】本実施形態のインクジェットプリンタにおいて、電源ＯＮ時にフェイタルエラーが発生した場合のフローチャートである。
【図５】本実施形態のインクジェットプリンタにおいて、電源ＯＮ時にフェイタルエラーが発生しなかった場合のフローチャートである。
【図６】インクカートリッジ読み取り機器からフェイタルエラー要因を取得する場合の説明図である。
【図７】インクカートリッジに記録されるフェイタルエラーの一例を示す図である。
【符号の説明】
【００４４】
１１：ＣＰＵ、１２：フラッシュＲＯＭ、１３：ＲＡＭ、１４：クリーニング機構、１５：印刷制御部、１６：用紙搬送機構、１７：印刷ヘッド、１８：カートリッジ装着部、１９：インクカートリッジ、１９ａ：黒インクカートリッジ、１９ｂ：カラーインクカートリッジ、２１：初期化処理実行部、２２：状態記憶部、２３：状態管理部、２４：入出力管理部、２５：エラー発生要因判断部、２６：エラー発生要因書込部、２７：インクカートリッジ記憶部、３５：黒インクカートリッジの底面、３８：カラーインクカートリッジの底面、３６，３９，４０，４１：インク供給口、３７，４２：半導体記憶手段、４３，４４：接点、１００：インクジェットプリンタ、２００：インクカートリッジ読み取り機器
【図１】
2008246941.tif 000003
【図２】
2008246941.tif 000004
【図３】
2008246941.tif 000005
【図４】
2008246941.tif 000006
【図５】
2008246941.tif 000007
【図６】
2008246941.tif 000008
【図７】
2008246941.tif 000009